(57)【要約】【課題】天井に取り付けたままの状態で光源ユニットの回転及び傾動を容易に行える照明器具を提供する。【解決手段】実施形態の照明器具は、固定枠と、前記固定枠上に回転可能に支持された回転枠と、前記回転枠に対して傾動可能に取り付けられた取付ベースと、前記取付ベースに保持され、前記取付ベースとともに前記回転枠に対して傾動可能な光源ユニットと、を備えている。前記取付ベースは、前記光源ユニットの周囲を囲むリング部と、前記リング部における周方向の一部に設けられ、前記光源ユニットの側面よりも外側で且つ前記光源ユニットよりも下方に突出し、前記固定枠で囲まれた空間の上方に位置する突出部と、を有する。【選択図】図１
2013196979.tif 000002
【特許請求の範囲】
【請求項１】
固定枠と、
前記固定枠上に回転可能に支持された回転枠と、
前記回転枠に対して傾動可能に取り付けられた取付ベースと、
前記取付ベースに保持され、前記取付ベースとともに前記回転枠に対して傾動可能な光源ユニットと、
を備え、
前記取付ベースは、
前記光源ユニットの周囲を囲むリング部と、
前記リング部における周方向の一部に設けられ、前記光源ユニットの側面よりも外側で且つ前記光源ユニットよりも下方に突出し、前記固定枠で囲まれた空間の上方に位置する突出部と、
を有する照明器具。
【請求項２】
前記回転枠は、前記取付ベースが傾動する方向の反対側の周縁部で上方に突出して設けられた反射板を有し、
前記突出部は、前記反射板に対して離間して、前記取付ベースが傾動する方向の反対側の前記リング部の周縁部に設けられている請求項１記載の照明器具。
【請求項３】
前記光源ユニットは、前記取付ベースに対して着脱自在である請求項１または２に記載の照明器具。
【発明の詳細な説明】
【技術分野】
【０００１】
本発明の実施形態は、光源ユニットを回転や傾動させて光の照射方向を変えられるユニバーサルタイプの照明器具に関する。
【背景技術】
【０００２】
ユニバーサルタイプの照明器具では、器具を天井等に取り付けたままの状態で光源ユニットの可動を容易にする高い操作性が求められる。
【先行技術文献】
【特許文献】
【０００３】
【特許文献１】特開２００９−２５９５５１号公報
【発明の概要】
【発明が解決しようとする課題】
【０００４】
天井に取り付けたままの状態で光源ユニットの回転及び傾動を容易に行える照明器具を提供する。
【課題を解決するための手段】
【０００５】
実施形態の照明器具は、固定枠と、前記固定枠上に回転可能に支持された回転枠と、前記回転枠に対して傾動可能に取り付けられた取付ベースと、前記取付ベースに保持され、前記取付ベースとともに前記回転枠に対して傾動可能な光源ユニットと、を備えている。前記取付ベースは、前記光源ユニットの周囲を囲むリング部と、前記リング部における周方向の一部に設けられ、前記光源ユニットの側面よりも外側で且つ前記光源ユニットよりも下方に突出し、前記固定枠で囲まれた空間の上方に位置する突出部と、を有する。
【発明の効果】
【０００６】
本発明によれば、天井に取り付けたままの状態で光源ユニットの回転及び傾動を容易に行える照明器具を実現できる。
【図面の簡単な説明】
【０００７】
【図１】実施形態の照明器具の斜視図。
【図２】実施形態の照明器具の斜視図。
【図３】実施形態の照明器具の斜視図であり、図１及び図２の状態から光源ユニットが傾動した状態を表す。
【図４】実施形態の照明器具の下面図。
【図５】実施形態の照明器具における固定枠の斜視図。
【図６】実施形態の照明器具における回転枠の斜視図。
【図７】実施形態の照明器具における回転枠の斜視図。
【図８】実施形態の照明器具における固定枠、回転枠及び取付ベースの係合状態を表す断面図。
【図９】実施形態の照明器具における取付ベースの斜視図。
【図１０】実施形態の照明器具における光源ユニット、ソケット及び放熱体の斜視図。
【図１１】実施形態の照明器具における光源ユニット及びソケットの斜視図。
【図１２】図１１における上面図。
【図１３】ソケットの斜視図。
【図１４】光源ユニットの下面図。
【図１５】光源ユニットの斜視図。
【発明を実施するための形態】
【０００８】
以下、図面を参照し、実施形態について説明する。なお、各図面中、同じ要素には同じ符号を付している。
【０００９】
図１〜図３は、実施形態の照明器具１の斜視図である。  
図４は、照明器具１の下面図である。
【００１０】
図１、２及び４は、光源ユニット５０の中心を通る光軸が、固定枠２０の中心を通る軸（中心軸）に対して平行な状態を表し、図３は、図１、２及び４の状態から光源ユニット５０が固定枠２０に対して傾動して、光源ユニット５０の光軸が固定枠２０の中心軸に対して傾いた状態を表す。
【００１１】
実施形態の照明器具１は、主に、固定枠２０と、回転枠３０と、取付ベース４０と、光源ユニット５０と、放熱体７０とを有する。照明器具１は、いわゆるダウンライト型の照明器具であり、固定枠２０の下面側の開口を下方に向け、放熱体７０を上側にした状態で、天井などに埋込設置される。
【００１２】
図５は、固定枠２０の斜視図である。
【００１３】
固定枠２０は、筒部２１と、筒部２１の下端に一体に設けられたフランジ部２２とを有する。筒部２１の外周壁には、複数の取付ばね取付部２３が設けられている。それぞれの取付ばね取付部２３には、図示しない板ばねである取付ばねの一端部が差し込まれて固定される。そして、固定枠２０は、取付ばねの弾性を利用して、天井に設けられた埋込孔に取り付けられる。
【００１４】
照明器具１において、固定枠２０より上の回転枠３０、取付ベース４０、光源ユニット５０および放熱体７０は、天井板の裏側に埋設される。固定枠２０のフランジ部２２の下面および筒部２１の内周壁は、天井よりも下方にいる使用者に対して露見する。したがって、固定枠２０は、照明器具１におけるデザイン性や見栄えを担う化粧枠として機能する。また、固定枠２０は、光源ユニット５０から放出される光の配光を制御する機能も有する。固定枠２０上には、回転枠３０が回転可能に支持される。
【００１５】
図６及び７は、回転枠３０の斜視図である。
【００１６】
回転枠３０は、リング部３１と、一対の反射板３２、３３と、一対のアーム連結部３４とを有する。反射板３２、３３及びアーム連結部３４は、リング部３１の上縁部に一体に設けられ、上方に突出している。
【００１７】
一対のアーム連結部３４は、リング部３１の中心を挟んで対称配置されている。リング部３１の周方向における一対のアーム連結部３４の間の部分に、一対の反射板３２、３３のそれぞれが設けられている。
【００１８】
一方の反射板（図６においてアーム連結部３４の左側の反射板）３２は、リング部３１の周方向に沿って湾曲し、その突出高さは周方向でほぼ均一である。反射板３２は、図３に示すように、取付ベース４０が傾動する（傾いて倒れる）方向とは反対側のリング部３１の周縁部に設けられている。
【００１９】
他方の反射板（図６においてアーム連結部３４の右側の反射板）３３における周方向の中間部分は、周方向の両端部よりも突出高さが低い。したがって、図３に示すように取付ベース４０が傾動した状態で、光源ユニット５０が反射板３３にぶつからない。
【００２０】
アーム連結部３４には貫通孔３５が形成されている。一対のアーム連結部３４のそれぞれの貫通孔３５の中心軸は一致し、その貫通孔３５の中心軸は、リング部３１の中心軸に対して直交している。
【００２１】
さらに、アーム連結部３４において、貫通孔３５の下方には凹状の曲面３６が形成されている。曲面３６が描く曲線軌跡は、貫通孔３５の中心を中心とする円の一部である。
【００２２】
図５に示されるように、固定枠２０の上端部の外周側には、段部２４が設けられている。段部２４は、固定枠２０の周方向に連続している。また、図７に示すように、回転枠３０のリング部３１の下端部には、下方に突出したリブ３７が設けられている。リブ３７は、リング部３１の周方向に連続している。回転枠３０は、そのリブ３７を固定枠２０の段部２４に係合させて、固定枠２０上に支持される。
【００２３】
図８は、固定枠２０と回転枠３０との係合状態を表す断面図である。
【００２４】
回転枠３０のリング部３１におけるリブ３７より内周側の下面３８が、固定枠２０の段部２４における上段側の上端面２６に載置される。その状態で、リブ３７が段部２４の側面に当接することで、回転枠３０の径方向（横方向）の移動が規制される。
【００２５】
固定枠２０の筒部２１の外周壁には、図１〜３にも示されるように、複数の止め金具８０が取り付けられている。止め金具８０は、図８に示すように、ねじ１００によって、固定枠２０の筒部２１の外周壁に固定されている。また、筒部２１の外周壁から突出するリブ２５が、止め金具８０に形成された貫通孔８２に挿入されている。そのリブ２５の側端部が貫通孔８２の側壁に当接することで、止め金具８０のねじ止め部を支点にした回転が規制されている。
【００２６】
止め金具８０の上端部８１は内側に曲げられ、回転枠３０のリング部３１の上端面の上方でその上端面に対向している。この止め金具８０によって、回転枠３０の固定枠２０上方への抜け止めがなされている。
【００２７】
したがって、回転枠３０は、その軸方向及び径方向の移動を規制されつつ、固定枠２０に対して回転自在に支持されている。回転枠３０は、リング部３１のリブ３７より内周側の下面３８を、固定枠２０の上端面２６に接触させた状態で、固定枠２０の中心軸まわりに３６０°回転可能である。
【００２８】
固定枠２０の筒部２１の外周壁には、図１〜３に示すように、端子台取付プレート９１が取り付けられている。端子台取付プレート９１は、複数の止め金具８０のうちの１つの止め金具８０を筒部２１に固定するためのネジによって、筒部２１に対して止め金具８０と共に取り付けられている。
【００２９】
端子台取付プレート９１の下面には、端子台９２、９３が取り付けられている。端子台９２、９３には、図示しない外部電源と接続された電気ケーブルが接続される。また、光源ユニット５０と接続された電気ケーブルも端子台９２、９３に接続される。したがって、端子台９２、９３を介して、光源ユニット５０は外部電源と電気的に接続される。
【００３０】
次に、図９は、取付ベース４０の斜視図である。
【００３１】
取付ベース４０は、リング部４１と、突出部４２と、一対のアーム部４４とを有する。突出部４２及びアーム部４４は、リング部４１の下端部に一体に設けられ、下方に突出している。
【００３２】
突出部４２は、リング部４１における周方向の一部に設けられ、リング部４１の周方向に沿って湾曲している。突出部４２の下部には貫通孔４３が形成されている。
【００３３】
取付ベース４０が回転枠３０に取り付けられた状態で、突出部４２は、図３に示すように、取付ベース４０が傾動する方向とは反対側のリング部４１の周縁部に設けられている。
【００３４】
一対のアーム部４４は、リング部４１の中心を挟んで対称配置されている。アーム部４４の下端部には、貫通孔４５が形成されている。一対のアーム部４４のそれぞれの貫通孔４５の中心軸は一致している。
【００３５】
アーム部４４の下端部は、その貫通孔４５を回転枠３０のアーム連結部３４に形成された貫通孔３５に一致させて、図１〜３に示すように、アーム連結部３４に重ね合わされる。
【００３６】
アーム部４４の下端面４６が、アーム連結部３４の曲面３６上に位置する。アーム部４４の下端面４６は、曲面になっている。アーム部４４がアーム連結部３４に連結された状態で、図８に示すように、アーム部４４の下端面４６はアーム連結部３４の曲面３６に接触せず、アーム部４４の下端面４６とアーム連結部３４の曲面３６との間には隙間が形成される。アーム部４４の下端面４６は、アーム連結部３４の曲面３６に沿った曲率を有する。
【００３７】
そして、アーム部４４の貫通孔４５及びアーム連結部３４の貫通孔３５に、図示しない軸部材が差し込まれ、その軸部材を介してアーム部４４はアーム連結部３４に連結される。アーム部４４は、上記軸部材を支点にして、図８において右方に傾動する（傾いて倒れる）ことができる。
【００３８】
アーム連結部３４の曲面３６において、アーム部４４が傾動する方向とは反対側の端部（図８における左側の端部）３６ａは、アーム部４４が傾動する方向側の端部（図８において右側の端部）３６ｂよりも高い位置にある。
【００３９】
このため、アーム部４４が図８において左側に傾動すると、アーム部４４の左側の端面がアーム連結部３４の曲面３６にぶつかって、それ以上のアーム部４４の左側への傾動が規制される。すなわち、アーム部４４は図８において左側にはわずかに傾動するだけであり、実質、アーム部４４は一方向（図８において右側）への傾動に制限されている。
【００４０】
取付ベース４０には、光源ユニット５０、ソケット６０及び放熱体７０が保持される。
【００４１】
図１０は、光源ユニット５０、ソケット６０及び放熱体７０の斜視図である。
【００４２】
ソケット６０は放熱体７０に対して例えばネジ止めで固定され、そのソケット６０に対して光源ユニット５０は着脱自在に装着される。
【００４３】
図１１は、光源ユニット５０及びソケット６０の斜視図であり、図１２はその上面図である。  
図１３は、ソケット６０の斜視図である。
【００４４】
図１４は、光源ユニット５０の下面図である。  
図１５は、光源ユニット５０を上面側から見た斜視図である。
【００４５】
図１３に示すように、ソケット６０は、リング状に形成され、その内周壁に係合溝６１が設けられている。また、図１２に示すように、ソケット６０には、周方向に沿って複数の長孔６３が形成されている。長孔６３の裏側には、図示しない導電性接触子が設けられている。
【００４６】
このソケット６０に対して、図１５に示す光源ユニット５０が着脱される。
【００４７】
光源ユニット５０は、筒状のケーシング５１と、そのケーシング５１の一方（上端側）の開口を閉塞する基板５２とを有する。また、光源ユニット５０は、発光素子として、例えば発光ダイオード（Light Emitting Diode：ＬＥＤ）を有する。発光素子は、ケーシング５１内における基板５２の裏側に実装されている。
【００４８】
なお、発光素子としては、ＬＥＤのほかにも、例えば、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、あるいはその他の電界発光型の発光素子などを用いることができる。
【００４９】
実施形態においては、例えば、青色光を発光するＬＥＤと、その青色光（励起光）を吸収して黄色光に変換する蛍光体を含む蛍光体層との組み合わせにより、発光素子は、青色光と黄色光との混合色として白色や電球色などの光を放出する。
【００５０】
ケーシング５１における下端側の開口には、図１０、１４に示される透光カバー５６が設けられている。透光カバー５６は、ケーシング５１内部を外部に対して閉鎖しているとともに、発光素子から放出される光に対する透過性を有する。なお、透光カバー５６は、光拡散性などの光学特性を有するものであってもよい。
【００５１】
基板５２は略円形状に形成され、その基板５２には、図１５に示すように、径方向の外側に突出する係合突起５４が複数設けられている。
【００５２】
ケーシング５１の上面側における基板５２の下方には嵌合部５３が設けられ、その嵌合部５３の周辺には複数の接続ピン５５が設けられている。
【００５３】
光源ユニット５０はソケット６０に対して着脱でき、光源ユニット５０を交換することが可能である。
【００５４】
ソケット６０に対する光源ユニット５０の装着時には、光源ユニット５０の嵌合部５３がソケット６０の内側に嵌められる。そして、光源ユニット５０の係合突起５４を、図１３に示すソケット６０の係合溝６１に挿入して光源ユニット５０をソケット６０の周方向に回すことで、係合突起５４が係合溝６１の底壁６２に引っ掛かり、光源ユニット５０の落下が防止される。
【００５５】
また、光源ユニット５０の接続ピン５５が、ソケット６０の長孔６３に挿入され、光源ユニット５０を装着方向にまわすことで、接続ピン５５は、長孔６３内に突出する図示しない導電性接触子に圧接する。これにより、光源ユニット５０の発光素子が、ソケット６０と電気的に接続される。そして、ソケット６０は、図示しない電気ケーブルを通じて端子台９２、９３と接続されており、端子台９２、９３は、図示しない電気ケーブルを通じて外部電源と接続されている。
【００５６】
装着時と逆方向に光源ユニット５０をまわすことで、係合突起５４と係合溝６１との係合を解除して、光源ユニット５０をソケット６０から取り外すことができる。
【００５７】
ソケット６０は、図１０に示す放熱体７０の下面７１に対して、例えばネジ止めで固定される。放熱体７０には、ソケット６０及び光源ユニット５０が取り付けられる下面７１とは反対側の上方に突出した複数の放熱フィン７２を有する。
【００５８】
取付ベース４０のリング部４１の上端部上に、放熱体７０の下面７１が載せられ、放熱体７０の外縁部近傍が取付ベース４０のリング部４１の上端部に対してネジ止めされる。これにより、図１及び２に示すように、放熱体７０は取付ベース４０上に固定される。
【００５９】
そして、放熱体７０に対してソケット６０を介して装着された光源ユニット５０も、取付ベース４０に対して固定されることになる。光源ユニット５０は、取付ベース４０のリング部４１及びアーム部４４の内側に位置する。
【００６０】
図１及び２は、固定枠２０の中心軸に対して、アーム部４４が傾動していない状態を表し、その状態における固定枠２０側から見た底面図を図４に表す。
【００６１】
アーム部４４が傾動していない状態で、光源ユニット５０の光軸は固定枠２０の中心軸に対して平行となる。ただし、光源ユニット５０の中心と、固定枠２０の中心とは一致せず、図４に示す平面視にて、光源ユニット５０の中心は固定枠２０の中心に対してオフセットしている。光源ユニット５０の中心は、光源ユニット５０がアーム部４４とともに傾動する方向（図４の平面視では下方）側にずれている。このため、図３に示すように、光源ユニット５０が傾動した状態で、固定枠２０の外側への漏れ光を抑えつつ、効率よく固定枠２０の内側の空間に光を入射させることができる。
【００６２】
図４に示すように、下方から固定枠２０の内側を見ると、光源ユニット５０の下面の透光カバー５６が露見する。その透光カバー５６には、突起状の操作部５７が設けられている。固定枠２０の内側に手を入れて操作部５７に指を掛けて、光源ユニット５０を回転することで、光源ユニット５０をソケット６０に対して着脱できる。
【００６３】
図４において時計方向（LOCKと付された矢印方向）に光源ユニット５０を回転すると、ソケット６０に対して光源ユニットが装着される。図４において反時計方向（UNLOCKと付された矢印方向）に光源ユニット５０を回転すると、ソケット６０から光源ユニット５０が外れる。
【００６４】
実施形態の照明器具１によれば、光源ユニット５０をソケット６０に装着した状態で、光源ユニット５０を固定枠２０に対して回転および傾動させることができる。光源ユニット５０の回転及び傾動は、取付ベース４０の突出部４２を手でつかんで行うことができる。
【００６５】
取付ベース４０に対して光源ユニット５０が保持された状態で、取付ベース４０の突出部４２は、光源ユニット５０の側面よりも外側で且つ光源ユニット５０の透光カバー５６よりも下方に突出し、固定枠２０で囲まれた空間の上方に位置する。
【００６６】
したがって、照明器具１を天井から取り外すことなく、固定枠２０の内側に手を入れて、突出部４２をつかむことができる。そして、図２の状態から突出部４２を上方に押し上げると、取付ベース４０のアーム部４４はアーム連結部３４を支点にして図３に示すように右方に傾動する（傾いて倒れる）。
【００６７】
取付ベース４０に保持された光源ユニット５０も、アーム部４４の傾動にともない傾動する。これにより、固定枠２０の中心軸に対する光源ユニット５０の光軸の角度が変わり、固定枠２０の下面開口から下方に放出される光の照射角度（方向）を変えることができる。
【００６８】
回転枠３０に設けられた反射板３２及び３３は、光源ユニット５０から放出された光を反射させ、固定枠２０の内側に導く機能を有する。光源ユニット５０が傾動する方向側に設けられた一方の反射板３３は、一部分が大きく欠けており、光源ユニット５０の傾動を妨げない。
【００６９】
他方の反射板３２側には光源ユニット５０は傾動しない。このため、最も下方に位置したときの突出部４２に干渉しない範囲内で、反射板３２の突出高さを高くすることができる。このため、図３に示すように光源ユニット５０が傾動した状態で、光源ユニット５０から放出される光の固定枠２０外への漏れを抑えることができる。
【００７０】
突出部４２をつかんで上げ下げすることで、アーム部４４はアーム連結部３４を支点に揺動し、光源ユニット５０の光軸の傾き角度を任意に調整することができる。また、突出部４２をつかんで周方向に動かすことで、固定枠２０に対して回転枠３０を回転させることができる。回転枠３０の回転により、回転枠３０上に取付ベース４０を介して支持された光源ユニット５０も回転する。
【００７１】
例えば、図３の状態から回転枠３０を光源ユニット５０ごと約１８０°回転させると、光源ユニット５０が図３の状態とは逆に左側に傾いた姿勢をとることができる。すなわち、光源ユニット５０の傾動方向は一方向に規制されているが、光源ユニット５０を回転させることで、光源ユニット５０が任意の方向に傾いた（倒れた）状態をとることが可能となる。
【００７２】
以上説明した実施形態によれば、照明器具１を天井に取り付けたままの状態で、突出部４２を手でつかんで、容易に光源ユニット５０の傾動や回転を行うことができ、照明方向を自在に変更できる。また、突出部４２を反射板３２に対してぶつけることなく上げ下げすることができ、さらに突出部４２には貫通孔４３が形成されているため、その貫通孔４３に指を掛けて突出部４２を操作できるため、突出部４２の操作性が高い。
【００７３】
光源ユニット５０を直接手でつかんで傾動や回転を行うことも考えられるが、着脱自在の光源ユニット５０の場合、光源ユニット５０を直接手で回転させたり、傾動させると、ソケット６０から光源ユニット５０が外れてしまう、あるいはソケット６０を破損させてしまう懸念がある。
【００７４】
これに対して、実施形態によれば、照明器具１を天井に取り付けたままの状態で、光源ユニット５０に触れることなく、突出部４２をつかんで光源ユニット５０の傾動及び回転を容易に行え、光源ユニット５０の脱落、ソケット６０の破損を回避できる。
【００７５】
また、突出部４２は、光源ユニット５０のケーシング５１の外周面に沿った曲板状に形成されていることから、光源ユニット５０をソケット６０に装着するときのガイド板としても機能し、光源ユニット５０の交換作業を容易にする。
【００７６】
実施形態によれば、突出部４２は、取付ベース４０の周方向の一部分に１つだけ設けられているため、作業者は一義的につかむべき突出部４２を把握できる。また、光源ユニット５０の傾動方向が一方向に制限されているため、作業者は突出部４２をどう動かせば光源ユニット５０を傾動させることができるかという理解が容易になる。
【００７７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７８】
１…照明器具、２０…固定枠、３０…回転枠、３１…リング部、３２，３３…反射板、４０…取付ベース、４１…リング部、４２…突出部、４４…アーム部、５０…光源ユニット、５１…ケーシング、５２…基板、５６…透光カバー、６０…ソケット、７０…放熱体
【図１】
2013196979.tif 000003
【図２】
2013196979.tif 000004
【図３】
2013196979.tif 000005
【図４】
2013196979.tif 000006
【図５】
2013196979.tif 000007
【図６】
2013196979.tif 000008
【図７】
2013196979.tif 000009
【図８】
2013196979.tif 000010
【図９】
2013196979.tif 000011
【図１０】
2013196979.tif 000012
【図１１】
2013196979.tif 000013
【図１２】
2013196979.tif 000014
【図１３】
2013196979.tif 000015
【図１４】
2013196979.tif 000016
【図１５】
2013196979.tif 000017